(57)【要約】【課題】使い勝手の向上を図りつつ柔らかな質感、風合いを持たせる。【解決手段】トートバッグ１０は、底面部１２と、一対の側面部１４と、一対の端面部１６と、一対の持ち手１８とを有し、一対の側面部１４に棒材収容部２０がそれぞれ設けられ、各棒材収容部２０に棒材２２が収容されている。棒材収容部２０は、棒材２２を湾曲させた状態で収容するものである。棒材２２は、棒材収容部２０に挿通されることで湾曲された状態で棒材収容部２０に収容される。棒材２２が棒材収容部２０に収容された状態で、棒材２２の両端は、下辺１４０２の両端に位置し、棒材２２の長手方向の中央部は、上辺１４０４の中央に位置している。これにより、側面部１４は、棒材２２が元の直線形状に戻ろうとする弾性力により側面部１４の面に沿って張られている。【選択図】図１
2015112236.tif 000002
【特許請求の範囲】
【請求項１】
底面部と、前記底面部から起立し互いに対向する一対の側面部と、前記一対の側面部の両端をそれぞれ接続する一対の端面部と、前記一対の側面部にそれぞれ設けられた一対の持ち手とを有するトートバッグであって、
前記側面部に、棒材を湾曲させた状態で収容する棒材収容部が設けられ、
前記棒材収容部に、弾性を有する直線形状の棒材が湾曲された状態で収容され、
前記側面部は、前記棒材が元の直線形状に戻ろうとする弾性力により前記側面部の面に沿って張られている、
ことを特徴とするトートバッグ。
【請求項２】
前記一対の側面部は、高さと、前記高さと直交し前記高さよりも大きい寸法の幅を有する矩形状を呈し、
前記棒材収容部は、前記一対の側面部の幅方向の半部にそれぞれ独立して設けられ、
前記棒材は、前記各棒材収容部に個別に収容されている、
ことを特徴とする請求項１記載のトートバッグ。
【請求項３】
前記一対の側面部は、下辺と、上辺と、左右の側辺とを有する矩形状を呈し、
前記棒材収容部は、上方に凸状のＵ字状を呈し、
前記棒材が前記棒材収容部に収容された状態で、棒材の両端は、前記下辺の両端に位置し、前記棒材の長手方向の中央部は、前記上辺の中央に位置し、
前記底面部上に靴収容部が設けられ、
前記靴収容部は、前記一対の側面部のうちの一方の側面部の前記下辺上で前記棒材の両端の間に形成された靴挿入用開口と、前記靴挿入用開口に連接され前記底面部上に配置された靴収容用袋体と、前記靴挿入用開口を開閉する蓋体とで構成されている、
ことを特徴とする請求項１または２記載のトートバッグ。
【請求項４】
前記一対の側面部の上端に、弾性を有する上端用棒材が配置されている、
ことを特徴とする請求項１から３の何れか１項記載のトートバッグ。
【請求項５】
前記トートバッグの質量を前記トートバッグの内部体積で除した数値が８．７５以上２５以下である、
ことを特徴とする請求項１から４の何れか１項記載のトートバッグ。
【請求項６】
前記質量が３５０ｇ以上５００ｇ以下であり、
前記内部体積が２０リットル以上４０リットル以下である、
ことを特徴とする請求項５記載のトートバッグ。
【発明の詳細な説明】
【技術分野】
【０００１】
本発明はトートバッグに関する。
【背景技術】
【０００２】
従来から、トートバッグとして、軟質の表地材の裏面に、例えば厚さ３〜６ｍｍ程度のウレタンスポンジやウレタンシートなどからなる裏当てを貼り付けた裏当て構造（ボンディング構造）が採用されたものが提供されている。
このような構造のトートバッグは、表地材に裏当てが貼り付けられていることである程度のコシがあるため、トートバッグの形状によっては自立させることができる。また、トートバッグの開口部をいったん開くと、開口部が開いた状態をそれなりに保持することができる。
しかしながら、裏当てによりトートバッグの質量が重くなり、また、表地材に裏当てが貼り付けられていることから、トートバッグの風合いを柔軟なものとすることができない不利がある。
そこで、裏当てを省略して軟質の表地材のみからなるトートバッグを構成することで軽量化を図り、風合いを柔軟なものとすることが考えられる。
この場合、表地材が軟質であることから、トートバッグが自立せず、開口部を開口した状態に保持することが難しい。
一方、特許文献１、２には、バッグ内部に硬質の板材を設けることが提案されており、このような板材をトートバッグの内部に設ければ、トートバッグを自立させて開口部を開口させた状態とすることが可能である。
【先行技術文献】
【特許文献】
【０００３】
【特許文献１】実開昭５６−４４３７号公報
【特許文献２】特開２０１３−３９２６６号公報
【発明の概要】
【発明が解決しようとする課題】
【０００４】
しかしながら、上記従来技術では、板材によりトートバッグの質量が増加するため、使い勝手が損なわれ、また、軟質の板材によりトートバッグの形状が制約されるため、トートバッグの風合いを柔軟なものとする上で不利となる。
本発明は、このような事情に鑑みてなされたものであり、その目的は、使い勝手の向上を図りつつ、柔らかな質感、風合いを持たせる上で有利なトートバッグを提供することにある。
【課題を解決するための手段】
【０００５】
上記目的を達成するために、本発明は、底面部と、前記底面部から起立し互いに対向する一対の側面部と、前記一対の側面部の両端をそれぞれ接続する一対の端面部と、前記一対の側面部にそれぞれ設けられた一対の持ち手とを有するトートバッグであって、前記側面部に、棒材を湾曲させた状態で収容する棒材収容部が設けられ、前記棒材収容部に、弾性を有する直線形状の棒材が湾曲された状態で収容され、前記側面部は、前記棒材が元の直線形状に戻ろうとする弾性力により前記側面部の面に沿って張られていることを特徴とする。
【発明の効果】
【０００６】
本発明によれば、一対の側面部は、棒材が元の直線形状に戻ろうとする弾性力により側面部の面に沿って張られているので、開口部を閉じた状態でも開口部を開いた状態でもトートバッグを自立させることができ、使い勝手を向上させる上で有利となる。
また、トートバッグを、裏当てを貼り付けることなく軟質の材料のみで構成してもトートバッグを自立させることができ、軽量化を図れるため、使い勝手を向上させる上で有利となる。
また、裏当てを貼り付けることなく、トートバッグを柔らかな質感、風合いを持たせたものとすることが可能となる。
【図面の簡単な説明】
【０００７】
【図１】第１の実施の形態に係るトートバッグが自立して開口部が開口した状態を示す斜視図である。
【図２】第１の実施の形態に係るトートバッグが自立して開口部が開口した状態を他の方向から見た斜視図である。
【図３】第１の実施の形態に係るトートバッグが自立して開口部がファスナーにより閉塞した状態を示す斜視図である。
【図４】第１の実施の形態に係るトートバッグが自立して開口部がファスナーにより閉塞した状態を他の方向から見た斜視図である。
【図５】第１の実施の形態に係るトートバッグが自立して開口部が開口した状態を示す正面図である。
【図６】第１の実施の形態に係るトートバッグが自立して開口部が開口した状態を示す背面図である。
【図７】第１の実施の形態に係るトートバッグが自立して開口部がファスナーにより閉塞した状態を示す正面図である。
【図８】第１の実施の形態に係るトートバッグが自立して開口部がファスナーにより閉塞した状態を示す背面図である。
【図９】第１の実施の形態に係るトートバッグに棒材が収容されていない状態を示す正面図である。
【図１０】第１の実施の形態に係るトートバッグに棒材が収容されていない状態を示す背面図である。
【図１１】棒材の平面図である。
【図１２】第２の実施の形態に係るトートバッグが自立して開口部が開口した状態を示す正面図である。
【図１３】第２の実施の形態に係るトートバッグが折り畳まれた状態を示す図である。
【発明を実施するための形態】
【０００８】
（第１の実施の形態）
次に本発明の実施の形態について説明する。
図１、図２、図５、図６に示すように、トートバッグ１０は、底面部１２と、一対の側面部１４と、一対の端面部１６と、一対の持ち手１８とを有し、一対の側面部１４に棒材収容部２０がそれぞれ設けられ、各棒材収容部２０に棒材２２が収容されている。
図１、図２に示すように、底面部１２と一対の側面部１４と一対の端面部１６は、裏地材２４Ａと表地材２４Ｂとで形成されている。
【０００９】
裏地材２４Ａおよび表地材２４Ｂとして、軟質でコシがない材料、例えば、ナイロン繊維、ポリエステル繊維、アクリル繊維、エラステック、ポリ塩化ビニール（ＰＶＣ）、ポリテトラフルオロエチレン繊維、レーヨン、ポリウレタン、ポリプロピレン繊維、合成皮革、帆布（木綿や麻が平織りされた生地）など従来公知の様々な材料が使用可能である。
また、裏地材２４Ａおよび表地材２４Ｂとして、その厚さが０．０５ｍｍ以上１．５ｍｍ以下のものを好適に使用可能である。
また、裏地材２４Ａおよび表地材２４Ｂとして繊維からなる布地を用いる場合、布地として、その布地を構成する糸の太さが３０デニール以上４２０デニール以下のものを好適に使用可能である。
なお、裏地材２４Ａおよび表地材２４Ｂに対してウレタンスポンジやウレタンシートなどからなる裏当てを貼り付けていないため、トートバッグ１０の軽量化を図ると共に、トートバッグ１０を柔らかな質感、風合いを持たせたものとする上で有利となっている。
【００１０】
図１、図２に示すように、底面部１２は、一対の長辺１２０２と、一対の短辺１２０４とを有する細長の矩形状を呈している。
底面部１２は、一対の短辺１２０２の中央を結んだ中心線を境として折り畳み可能である。
なお、底面部１２に板状の折り畳み可能な底敷を設けてもよく、底敷の材料として、ウレタン板、ウレタンスポンジ、ポリウレタン板、ポリエチレン発泡シート、擬革紙など従来公知の様々な材料が使用可能である。
【００１１】
一対の側面部１４は一対の長辺１２０２から起立し、一対の端面部１６は一対の短辺１２０４から起立し、一対の側面部１４は互いに対向している。
一対の側面部１４は、下辺１４０２と、上辺１４０４と、左右の側辺１４０６とを有する矩形状を呈している。
一対の持ち手１８は、一対の側面部１４にそれぞれ設けられている。
一対の側面部１４の上端間と一対の端面部１６の上端間が開口部２６となっており、開口部２６を開閉するファスナー２８が一対の側面部１４の上辺１４０４の全長と一対の端面部１６の上端とにわたって設けられている。
なお、一対の側面部１４の上端に、上辺１４０４に沿って直線状に延在する弾性を有する上端用棒材（不図示）をそれぞれ設けても良い。
このような上端用棒材を設けると、開口部２６の形状を保持できるため、一対の側面部１４の上端を把持して開口部２６の開閉操作を確実に行なえ、使い勝手の向上を図る上で有利となる。
なお、上端用棒材の剛性は、棒材収容部２０に収容される棒材２２の剛性と同等かそれ以上であることが、開口部２６の形状を保持し開口部２６の開閉操作を確実に行なう上で好ましい。
【００１２】
図９、図１０に示すように、棒材収容部２０は、一対の側面部１４にそれぞれ設けられている。
図５、図６に示すように、棒材収容部２０は、棒材２２を湾曲させた状態で収容するものである。
棒材収容部２０は、上方に凸状のＵ字状を呈し、棒材２２が棒材収容部２０に収容された状態で、棒材２２の両端は、下辺１４０２の両端に位置し、棒材２２の長手方向の中央部は、上辺１４０４の中央に位置している。
本実施の形態では、棒材２２の断面よりも大きい面積の閉断面を呈して連続状に延在する袋状の棒材挿通部として形成されている。
棒材収容部２０は、例えば、裏地材２４Ａに、適宜一定幅をもった布体を縫い付けることにより形成されている。
【００１３】
図１１に示すように、棒材２２は、弾性を有して直線状に延在している。
棒材２２としては、金属線材、樹脂線材、複合線材などを用いることができる。
金属線材の材料としては、鋼、ステンレス、ジルコニウム、チタン、アルミ、マグネシウムなど従来公知の様々な金属材料が使用可能である。
樹脂線材の材料としては、エポキシ樹脂、フェノール樹脂など従来公知の様々な合成樹脂材料が使用可能である。
複合線材の材料としては、各種合成樹脂に対してガラス繊維やカーボン繊維からなる長繊維や短繊維が複合された従来公知の様々な材料が使用可能である。
また、上記以外の材料を用いた線材も使用可能であり、そのような線材の材料としては、発泡ポリエチレン、ガラスファイバー、ＰＶＣフォーム、ＰＴＦＥ、ＰＥＴ、木材など従来公知の様々な材料が使用可能である。
また、棒材２２として、直径０．３ｍｍ以上４．０ｍｍ以下のものを好適に使用可能である。
【００１４】
図１〜図８に示すように、棒材２２は、棒材収容部２０に挿通されることで湾曲された状態で棒材収容部２０に収容される。
棒材２２が棒材収容部２０に収容された状態で、棒材２２の両端は、下辺１４０２の両端に位置し、棒材２２の長手方向の中央部は、上辺１４０４の中央に位置している。
これにより、側面部１４は、棒材２２が元の直線形状に戻ろうとする弾性力により側面部１４の面に沿って張られている。
より詳細には、棒材２２の弾性力によりＵ字状の棒材収容部２０の内側に位置する側面部１４の部分が、側面部１４の面に沿って張られている。
【００１５】
図１に示すように、一対の側面部１４のうちの一方の側面部１４で棒材収容部２０の内側にポケット３０が設けられ、ポケット３０の開口はファスナー３２により開閉可能である。
また、図２に示すように、底面部１２上に靴収容部３４が設けられている。
靴収容部３４は、一対の側面部１４のうちの他方の側面部１４の下辺１４０２上で棒材２２の両端の間に形成された靴挿入用開口３６と、靴挿入用開口３６に連接され底面部１２上に配置された不図示の靴収容用袋体と、靴挿入用開口３６をファスナー３８を介して開閉する蓋体４０とで構成されている。
【００１６】
本実施の形態によれば、一対の側面部１４は、棒材２２が元の直線形状に戻ろうとする弾性力により側面部１４の面に沿って張られているので、開口部２６を閉じた状態でも開口部２６を開いた状態でもトートバッグ１０を自立させることができ、使い勝手を向上させる上で有利となる。
例えば、買い物をする際に、底面部１２のみが接地してトートバッグ１０が自立するため、底面部１２以外のトートバッグ１０の箇所を汚すことなく、また、トートバッグ１０の内部に収容した荷物が外にこぼれることなく、開口部２６を開いた状態でトートバッグ１０をどこにでも置くことができる。
また、開口部２６を開いた状態でもトートバッグ１０を自立させることができるので、一方の手で開口部２６を開口させつつ、他方の手で荷物の出し入れを行なう必要がなく、どこでも両手を用いて荷物の取出し収納を簡単に行なう上で有利となる。
また、トートバッグ１０を、裏当てを貼り付けることなく軟質の材料のみで構成してもトートバッグ１０を自立させることができ、軽量で使い勝手の良いトートバッグ１０を製造することが可能となる。
また、裏当てを貼り付けないため、トートバッグ１０を柔らかな質感、風合いを持たせたものとする上で有利となり、トートバッグ１０の商品価値を高める上で有利となる。
また、トートバッグ１０の質量をトートバッグ１０の内部体積で除した数値を８．７５以上２５以下とすると、荷物を収容する内部体積を確保しつつトートバッグ１０の軽量化を図れ、多くの衣服などを収納でき、トートバッグ１０の使い勝手を向上させる上で有利となる。
また、トートバッグ１０の質量を３５０ｇ以上５００ｇ以下とし、内部体積を２０リットル以上４０リットル以下とすると、質量および内部体積を使い勝手のよい範囲とすることができ、トートバッグ１０の使い勝手を向上させる上でより有利となる。
また、棒材収容部２０の内側の側面部１４に、ポケット３０を設けることができるので、トートバッグ１０の内部に入れるものとは別に小物をポケット３０に収容でき、トートバッグ１０の使い勝手を向上する上で有利となる。
また、棒材収容部２０の内側の側面部１４に、靴収容部３４を設けることができるので、例えば、ゴルフやテニスを行なう際など、衣服と共にゴルフシューズやテニスシューズを一つのトートバッグ１０に収容できるので、行き帰りに便利となる。
【００１７】
（第２の実施の形態）
次に、第２の実施の形態について図１２、図１３を参照して説明する。
第２の実施の形態では、側面部１４を幅方向の中央部を中心として折り畳めるようにしたものである。
なお、以下の実施の形態では、第１の実施の形態と同様の箇所、部材に同一の符号を付してその説明を省略し、異なる箇所のみを重点的に説明する。
図１２に示すように、一対の側面部１４は、高さと、高さと直交し高さよりも大きい寸法の幅を有する矩形状を呈している。
棒材収容部２０Ａ、２０Ｂは、一対の側面部１４の幅方向の半部にそれぞれ独立して設けられている。
棒材収容部２０Ａ、２０Ｂは、第１の実施の形態の棒材収容部２０のＵ字状の頂点で分断したものである。
棒材２２Ａ、２２Ｂは、各棒材収容部２０Ａ、２０Ｂに個別に収容されている。
【００１８】
棒材２２Ａ、２２Ｂは、棒材収容部２０Ａ、２０Ｂに挿通されることで湾曲された状態で棒材収容部２０に収容される。
棒材２２Ａ、２２Ｂが棒材収容部２０Ａ、２０Ｂに収容された状態で、棒材２２Ａ、２２Ｂの長手方向の一端は、下辺１４０２の端部に位置し、棒材２２Ａ、２２Ｂの長手方向の他端は、上辺１４０４の中央に位置している。
これにより、側面部１４は、２つの棒材２２Ａ、２２Ｂが元の直線形状に戻ろうとする弾性力により側面部１４の面に沿って張られている。
より詳細には、棒材２２Ａ、２２Ｂの弾性力により各棒材収容部２０の内側に位置する側面部１４の部分が、側面部１４の面に沿って張られている。
【００１９】
第２の実施の形態によれば、第１の実施の形態と同様の効果が奏されることは無論のこと、棒材２２が側面部１４の幅方向の中央で分断されているため、図１３に示すように、トートバッグ１０を側面部１４の幅方向の中央部で折り畳め、トートバッグ１０を運ぶ際や、非使用時に収納する際にかさばらないため便利となる。
【００２０】
なお、実施の形態では、棒材収容部２０（２０Ａ、２０Ｂ）を上方に凸状のＵ字状とし、棒材２２（２２Ａ、２２Ｂ）が棒材収容部２０に収容された状態で、棒材２２の両端は、下辺１４０２の両端に位置し、棒材２２の長手方向の中央部は、上辺１４０４の中央に位置している場合について説明したが、棒材収容部２０を下方に凸状のＵ字状とし、棒材２２が棒材収容部２０に収容された状態で、棒材２２の両端は、上辺１４０４の両端に位置し、棒材２２の長手方向の中央部は、下辺１４０２の中央に位置させるようにしてもよい。ただし、実施の形態のように棒材収容部２０を上方に凸状のＵ字状とすると、底面部１２上に靴収容部３４を設ける上で有利となる。
また、本実施の形態では、棒材収容部２０がＵ字状を呈している場合について説明したが、側面部１４が棒材２２が元の直線形状に戻ろうとする弾性力により側面部１４の面に沿って張られればよく、棒材収容部２０の形状はＵ字状に限定されない。ただし、実施の形態のように湾曲部の数が少ない方が、棒材収容部２０に棒材２２を円滑に挿入する上で有利となる。
【符号の説明】
【００２１】
１０  トートバッグ
１２  底面部
１４  側面部
１４０２  下辺
１４０４  上辺
１４０６  左右の側辺
１６  端面部
２０、２０Ａ、２０Ｂ  棒材収容部
２２、２２Ａ、２２Ｂ  棒材
３４  靴収容部
３６  靴挿入用開口
４０  蓋体
【図１】
2015112236.tif 000003
【図２】
2015112236.tif 000004
【図３】
2015112236.tif 000005
【図４】
2015112236.tif 000006
【図５】
2015112236.tif 000007
【図６】
2015112236.tif 000008
【図７】
2015112236.tif 000009
【図８】
2015112236.tif 000010
【図９】
2015112236.tif 000011
【図１０】
2015112236.tif 000012
【図１１】
2015112236.tif 000013
【図１２】
2015112236.tif 000014
【図１３】
2015112236.tif 000015